(57)【要約】【課題】浴槽排水入水口と、洗い場排水入水口と、排水口とを有する排水容器と、洗い場排水入水口から排水容器内へ挿入された封水筒とを備え、封水筒の下端は、排水容器内に貯留される排水の最高水面である封水面よりも下方に在り、浴室ユニットの洗い場に取り付けられる排水トラップであって、浴室ユニットの建物躯体からの設置高さを従来に比べて低減できる浴室ユニットの排水トラップを提供する。【解決手段】側壁下部に浴槽排水入水口が形成され、天井壁に洗い場排水入水口が形成され、側壁上部に排水口が形成された排水容器と、洗い場排水入水口から排水容器内へ挿入された封水筒とを備え、封水筒の下端は、排水容器内に貯留される排水の最高水面である封水面よりも下方に在り、浴室ユニットの洗い場に取り付けられる排水トラップであって、封水筒を取り巻いて排水容器の底壁から上方へ封水面まで延びる隔壁を備える。【選択図】　図２
2004068498.tif 000002
【特許請求の範囲】
【請求項１】
側壁下部に浴槽排水入水口が形成され、天井壁に洗い場排水入水口が形成され、側壁上部に排水口が形成された排水容器と、洗い場排水入水口から排水容器内へ挿入された封水筒とを備え、封水筒の下端は、排水容器内に貯留される排水の最高水面である封水面よりも下方に在り、浴室ユニットの洗い場に取り付けられる排水トラップであって、封水筒を取り巻いて排水容器の底壁から上方へ封水面まで延びる隔壁を備えることを特徴とする浴室ユニットの排水トラップ。
【請求項２】
前記隔壁は、排水容器と一体形成されていることを特徴とする請求項１に記載の浴室ユニットの排水トラップ。
【請求項３】
前記隔壁は、排水容器とは別体であり、排水容器に着脱可能に取り付けられていることを特徴とする請求項１に記載の浴室ユニットの排水トラップ。
【請求項４】
前記隔壁は封水面を越えて上方へ延びており、当該隔壁の排水口に対峙する部位に、隔壁上端から下方へ延び下縁の高さが封水面と略同一の切欠又は下縁の高さが封水面と略同一の開口が形成されていることを特徴とする請求項１乃至３の何れか１項に記載の浴室ユニットの排水トラップ。
【請求項５】
前記隔壁は封水面を越えて上方へ延びており、当該隔壁の排水口に対峙する部位に、下縁の高さが封水面と略同一の開口が形成され、当該開口から排水口へ達する連絡管が延びていることを特徴とする請求項１乃至３の何れか１項に記載の浴室ユニットの排水トラップ。
【請求項６】
前記隔壁の封水面を越えて上方へ延びる部分は、前記隔壁と一体形成されていることを特徴とする請求項４又は５に記載の浴室ユニットの排水トラップ。
【請求項７】
前記隔壁の封水面を越えて上方へ延びる部分は、前記隔壁とは別体であり、前記隔壁に着脱可能に取り付けられていることを特徴とする請求項４又は５に記載の浴室ユニットの排水トラップ。
【請求項８】
前記隔壁の封水面を越えて上方へ延びる部分は、封水筒と一体形成されていることを特徴とする請求項４又は５に記載の浴室ユニットの排水トラップ。
【請求項９】
浴槽排水入水口と排水口とは排水容器の側壁に沿って周方向に略１８０度の間隔を隔てており、前記隔壁は長軸が浴槽排水入水口から排水口へ差し向けられた楕円形又は長円形の横断面を有することを特徴とする請求項１乃至８の何れか１項に記載の浴室ユニットの排水トラップ。
【請求項１０】
前記隔壁の封水面よりも下方の部分に、小径開口またはスリットが形成されており、当該開口又はスリットの開口面積は前記隔壁と封水筒側壁との間に形成される環状流路の断面積よりも小さいことを特徴とする請求項１乃至９の何れか１項に記載の浴室ユニットの排水トラップ。
【請求項１１】
排水容器は、上端が開放され下端が閉鎖された溜水部と、溜水部を取り巻き上端が溜水部の上端よりも上方にあり下端から径方向内方へ延びる底壁が溜水部の側壁に達する排水外筒とを備え、浴槽排水入水口は溜水部の側壁に形成され、洗い場排水入水口は排水外筒の天井壁に形成され、排水口は排水外筒の側壁に形成され、封水筒は洗い場排水入水口から溜水部内へ挿入され、隔壁は溜水部の底壁から上方へ延びていることを特徴とする請求項１乃至１０の何れか１項に記載の浴室ユニットの排水トラップ。
【請求項１２】
排水容器の底壁は、浴槽排水入水口側から排水口側へ向けて上方へ傾斜していることを特徴とする請求項１乃至１０の何れか１項に記載の浴室ユニットの排水トラップ。
【請求項１３】
上端が開放され下端が閉鎖されると共に側壁に浴槽排水入水口が形成された溜水部と、溜水部を取り巻き上端が溜水部の上端よりも上方にあり下端から径方向内方へ延びる底壁が溜水部の側壁に達すると共に天井壁に洗い場排水入水口が形成され側壁に排水口が形成された排水外筒と、洗い場排水入水口から溜水部内へ挿入された封水筒とを備え、封水筒の下端は溜水部内に貯留される排水の最高水面である封水面よりも下方に在り、更に、溜水部側壁と封水筒側壁との間に配設され、一端が浴槽排水入水口に接続し他端が封水面に達する屈曲管を備えることを特徴とする浴室ユニットの排水トラップ。
【請求項１４】
上端が開放され下端が閉鎖された溜水部と、溜水部を取り巻き上端が溜水部の上端よりも上方にあり下端から径方向内方へ延びる底壁が溜水部の側壁に達すると共に底壁に開口が形成され、天井壁に洗い場排水入水口が形成され、側壁に排水口が形成された排水外筒と、一端が排水外筒底壁の前記開口を通って上方へ延び他端が浴槽排水入水口を形成する屈曲管と、洗い場排水入水口から溜水部内へ挿入された封水筒とを備え、封水筒の下端は溜水部内に貯留される排水の最高水面である封水面よりも下方に在り、屈曲管は封水面まで延びていることを特徴とする浴室ユニットの排水トラップ。
【請求項１５】
前記屈曲管と排水外筒と溜水部とは一体形成されていることを特徴とする請求項１３又は１４に記載の浴室ユニットの排水トラップ。
【請求項１６】
前記屈曲管は封水面を越えて上方へ延びていることを特徴とする請求項１３乃至１５の何れか１項に記載の浴室ユニットの排水トラップ。
【発明の詳細な説明】
【０００１】
【発明の属する技術分野】
本発明は、浴室ユニットの排水トラップに関するものである。
【０００２】
【従来の技術】
図１に示すように、側壁下部に浴槽排水入水口Ａが形成され、天井壁に洗い場排水入水口Ｂが形成され、側壁上部に排水口Ｃが形成された排水容器Ｄと、洗い場排水入水口Ｂから排水容器Ｄ内へ挿入された封水筒Ｅとを備え、封水筒Ｅの下端は、排水容器Ｄ内に貯留される排水の最高水面である封水面αよりも下方に在り、浴室ユニットの洗い場に取り付けられる排水トラップが、従来から使用されている。
上記構造の排水トラップにおいては、浴槽排水時に浴槽排水入水口Ａから排水トラップ内へ流入し、封水筒Ｅ内を下方から上方へ逆流した浴槽排水が、洗い場へ溢れ出るのを防止するために、図１に示すように、封水筒Ｅ上端からの逆流排水の噴出高さｈ１よりも大きな深さｈ２を有するピットＦを洗い場に形成し、ピットＦの底壁に排水トラップを取り付ける必要があった。
【０００３】
【発明が解決しようとする課題】
従来構造の浴室ユニットの排水トラップには、大きな深さｈ２を有するピットを洗い場に形成する必要があるので、浴室ユニットの建物躯体床面からの設置高さＨが大きくなり、居室床面の建物躯体床面からの設置高さの増加を招き、建物の階高の増加を招き、建築コストの増加を招くという問題があった。
本発明は上記問題に鑑みてなされたものであり、浴槽排水入水口と、洗い場排水入水口と、排水口とを有する排水容器と、洗い場排水入水口から排水容器内へ挿入された封水筒とを備え、封水筒の下端は、排水容器内に貯留される排水の最高水面である封水面よりも下方に在り、浴室ユニットの洗い場に取り付けられる排水トラップであって、浴室ユニットの建物躯体からの設置高さを従来に比べて低減できる浴室ユニットの排水トラップを提供することを目的とする。
【０００４】
【課題を解決するための手段】
上記課題を解決するために、本発明においては、側壁下部に浴槽排水入水口が形成され、天井壁に洗い場排水入水口が形成され、側壁上部に排水口が形成された排水容器と、洗い場排水入水口から排水容器内へ挿入された封水筒とを備え、封水筒の下端は、排水容器内に貯留される排水の最高水面である封水面よりも下方に在り、浴室ユニットの洗い場に取り付けられる排水トラップであって、封水筒を取り巻いて排水容器の底壁から上方へ封水面まで延びる隔壁を備えることを特徴とする浴室ユニットの排水トラップを提供する。
【０００５】
本発明に係る浴室ユニットの排水トラップにおいては、浴槽排水入水口から排水容器内へ流入した浴槽排水が封水筒の下端へ到達するためには、封水筒を取り巻いて排水容器の底壁から上方へ封水面まで延びる隔壁と排水容器側壁との間の環状流路を通って上方へ流れ、次いで前記隔壁と封水筒側壁との間の環状流路を通って下方へ流れる必要がある。排水容器内へ流入した浴槽排水は、前記蛇行環状流路を流れる際の圧力損失により、封水筒の下端に到達する迄の間に減圧される。この結果、封水筒下端から封水筒上端への浴槽排水の逆流が抑制される。本発明に係る排水トラップを使用すれば、浴室ユニットの洗い場に形成するピットの深さを従来に比べて低減できるので、浴室ユニットの建物躯体からの設置高さを従来に比べて低減できる。
【０００６】
前記隔壁を排水容器と一体形成しても良く、或いは排水容器とは別体の前記隔壁を排水容器に着脱可能に取り付けても良い。
前記隔壁を排水容器と一体形成すると、部品数が減少して排水トラップの製造コストが低下し、排水容器とは別体の前記隔壁を排水容器に着脱可能に取り付けると、排水トラップの掃除が容易になる。
【０００７】
前記隔壁を封水面を越えて上方へ延在させ、当該隔壁の排水口に対峙する部位に、隔壁上端から下方へ延び、下縁の高さが封水面と略同一の切欠を形成しても良く、或いは前記隔壁を封水面を越えて上方へ延在させ、当該隔壁の排水口に対峙する部位に、下縁の高さが封水面と略同一の開口を形成し、或いは当該隔壁の排水口に対峙する部位に、下縁の高さが封水面と略同一の開口を形成し、当該開口から排水口へ達する連絡管を延在させても良い。
前記隔壁を封水面を越えて上方へ延在させることにより、前記隔壁と排水容器側壁との間の環状流路と、前記隔壁と封水筒側壁との間の環状流路とが形成する蛇行環状流路の流路長が増加し、排水容器内へ流入した浴槽排水が封水筒の下端に到達する迄の間の圧力損失が増加し、減圧量が増加する。この結果、封水筒下端から封水筒上端への浴槽排水の逆流が更に抑制され、浴室ユニットの洗い場に形成するピットの深さが更に低減され、浴室ユニットの建物躯体からの設置高さが更に低減される。
前記隔壁の排水口に対峙する部位に、隔壁上端から下方へ延び下縁の高さが封水面と略同一の切欠を形成し、又は下縁の高さが封水面と略同一の開口を形成することにより、洗い場排水の隔壁外への排出効率を高め、封水面の上昇を抑制して、洗い場への排水の逆流を抑制することができる。前記開口から排水口へ達する連絡管を延在させることにより、隔壁と封水筒との間の環状流路への浴槽排水の逆流を効果的に防止することができる。
【０００８】
前記隔壁の封水面を越えて上方へ延びる部分を、前記隔壁と一体形成しても良く、或いは前記隔壁とは別体で形成し、前記隔壁に着脱可能に取り付けても良く、或いは封水筒と一体形成しても良い。
前記隔壁の封水面を越えて上方へ延びる部分を前記隔壁と一体形成すれば、部品数が減少して排水トラップの製造コストが低下し、前記隔壁の封水面を越えて上方へ延びる部分を前記隔壁とは別体で形成し前記隔壁に着脱可能に取り付け、或いは前記隔壁の封水面を越えて上方へ延びる部分を封水筒と一体形成すれば、排水トラップの掃除が容易になる。
【０００９】
浴槽排水入水口と排水口とを排水容器の側壁に沿って周方向に略１８０度の間隔を隔てて配設し、前記隔壁の横断面を長軸が浴槽排水入水口から排水口へ差し向けられた楕円形又は長円形としても良い。
前記隔壁と排水容器側壁との間の環状流路内の浴槽排水入水口から排水口へ向かう浴槽排水の流れがスムーズになる。この結果、前記環状流路から前記隔壁と封水筒側壁との間の環状流路への浴槽排水の流入が抑制され、封水筒下端から封水筒上端への浴槽排水の逆流が更に抑制され、浴室ユニットの洗い場に形成するピットの深さが更に低減され、浴室ユニットの建物躯体からの設置高さが更に低減される。
【００１０】
前記隔壁の封水面よりも下方の部分に、小径開口またはスリットを形成し、当該開口又はスリットの開口面積を前記隔壁と封水筒側壁との間に形成される環状流路の断面積よりも小さくしても良い。
隔壁の内側の封水が、浴槽排水入水口から排水口へ向かう浴槽排水流に連行されて、隔壁の外側へ流出し、隔壁の内側の封水位が封水筒下端よりも下方へ低下し、外部排水管内の臭気が封水筒を通って洗い場へ逆流するおそれがある。隔壁の封水面よりも下方の部分に、小径開口またはスリットを形成しておけば、浴槽排水終了後に、浴槽と排水トラップとを連結する排水管内や排水容器と隔壁との間の環状流路内の浴槽排水が、前記小径開口又はスリットを通って前記隔壁の内側へ流入し、隔壁の内側の封水位を封水筒下端よりも上方まで増加させる。この結果、外部排水管内の臭気の洗い場への逆流が防止される。
開口面積が前記隔壁と封水筒側壁との間に形成される環状流路の断面積よりも小さな小径開口又はスリットの流動抵抗は大きいので、浴槽排水時に浴槽排水入水口から排水容器へ流入した浴槽排水が前記小径開口又はスリットを通る際に大きな圧力損失が発生する。従って、浴槽排水入水口から排水容器へ流入し、前記小径開口又はスリットを通って封水筒下端に到達した浴槽排水の圧力は低下しており、封水筒を通って洗い場へ逆流しない。
【００１１】
排水容器が、上端が開放され下端が閉鎖された溜水部と、溜水部を取り巻き上端が溜水部の上端よりも上方にあり下端から径方向内方へ延びる底壁が溜水部の側壁に達する排水外筒とを備え、浴槽排水入水口が溜水部の側壁に形成され、洗い場排水入水口が排水外筒の天井壁に形成され、排水口が排水外筒の側壁に形成され、封水筒が洗い場排水入水口から溜水部内へ挿入され、隔壁が溜水部の底壁から上方へ延びていても良く、或いは排水容器の底壁が、浴槽排水入水口側から排水口側へ向けて上方へ傾斜していても良い。
本発明は、排水容器が、上端が開放され下端が閉鎖された溜水部と、溜水部を取り巻き上端が溜水部の上端よりも上方にあり下端から径方向内方へ延びる底壁が溜水部の側壁に達する排水外筒とを備え、浴槽排水入水口が溜水部の側壁に形成され、洗い場排水入水口が排水外筒の天井壁に形成され、排水口が排水外筒の側壁に形成され、封水筒が洗い場排水入水口から溜水部内へ挿入さた逆碗型排水トラップにも適用可能であり、排水外筒を備えず、溜水部の天井壁に洗い場排水入水口が形成され、溜水部の側壁上部に排水口が形成され、溜水部の底壁が、浴槽排水入水口側から排水口側へ向けて上方へ傾斜したランニング型排水トラップにも適用可能である。
【００１２】
本発明においては、上端が開放され下端が閉鎖されると共に側壁に浴槽排水入水口が形成された溜水部と、溜水部を取り巻き上端が溜水部の上端よりも上方にあり下端から径方向内方へ延びる底壁が溜水部の側壁に達すると共に天井壁に洗い場排水入水口が形成され側壁に排水口が形成された排水外筒と、洗い場排水入水口から溜水部内へ挿入された封水筒とを備え、封水筒の下端は溜水部内に貯留される排水の最高水面である封水面よりも下方に在り、更に、溜水部側壁と封水筒側壁との間に配設され、一端が浴槽排水入水口に接続し他端が封水面に達する屈曲管を備えることを特徴とする浴室ユニットの排水トラップを提供する。
本発明に係る浴室ユニットの排水トラップにおいては、浴槽排水入水口から排水トラップへ流入した浴槽排水が封水筒の下端へ到達するためには、屈曲管を通って上方へ流れ、次いで溜水部側壁と封水筒側壁との間の環状流路を通って下方へ流れる必要がある。排水トラップへ流入した浴槽排水は、前記蛇行流路を流れる際の圧力損失により、封水筒の下端に到達する迄の間に減圧される。この結果、封水筒下端から封水筒上端への浴槽排水の逆流が抑制される。本発明に係る排水トラップを使用すれば、浴室ユニットの洗い場に形成するピットの深さを従来に比べて低減できるので、浴室ユニットの建物躯体からの設置高さを従来に比べて低減できる。
【００１３】
本発明においては、上端が開放され下端が閉鎖された溜水部と、溜水部を取り巻き上端が溜水部の上端よりも上方にあり下端から径方向内方へ延びる底壁が溜水部の側壁に達すると共に底壁に開口が形成され、天井壁に洗い場排水入水口が形成され、側壁に排水口が形成された排水外筒と、一端が排水外筒底壁の前記開口を通って上方へ延び他端が浴槽排水入水口を形成する屈曲管と、洗い場排水入水口から溜水部内へ挿入された封水筒とを備え、封水筒の下端は溜水部内に貯留される排水の最高水面である封水面よりも下方に在り、屈曲管は封水面まで延びていることを特徴とする浴室ユニットの排水トラップを提供する。
本発明に係る浴室ユニットの排水トラップにおいては、浴槽排水入水口から排水トラップへ流入した浴槽排水が封水筒の下端へ到達するためには、屈曲管を通って上方へ流れ、次いで溜水部側壁と封水筒側壁との間の環状流路を通って下方へ流れる必要がある。排水トラップへ流入した浴槽排水は、前記蛇行流路を流れる際の圧力損失により、封水筒の下端に到達する迄の間に減圧される。この結果、封水筒下端から封水筒上端への浴槽排水の逆流が抑制される。本発明に係る排水トラップを使用すれば、浴室ユニットの洗い場に形成するピットの深さを従来に比べて低減できるので、浴室ユニットの建物躯体からの設置高さを従来に比べて低減できる。
【００１４】
屈曲管と排水外筒と溜水部とを一体形成しても良い。部品数が減少し排水トラップの製造コストが減少する。
【００１５】
前記屈曲管を封水面を越えて上方へ延在させても良い。
前記屈曲管を封水面を越えて上方へ延在させることにより、屈曲管と、溜水部側壁と封水筒側壁との間の環状流路とが形成する蛇行流路の流路長が増加し、排水トラップへ流入した浴槽排水が封水筒の下端に到達する迄の間の圧力損失が増加し、減圧量が増加する。この結果、封水筒下端から封水筒上端への浴槽排水の逆流が更に抑制され、浴室ユニットの洗い場に形成するピットの深さが更に低減され、浴室ユニットの建物躯体からの設置高さが更に低減される。
【００１６】
【発明の実施の形態】
本発明の第１実施例に係る浴室ユニットの排水トラップを説明する。
図２に示すように、逆碗型の排水トラップ１は、上端が開放され下端が閉鎖された溜水部２と、溜水部２を取り巻き上端が溜水部２の上端よりも上方にあり下端から径方向内方へ延びる底壁が溜水部２の側壁に達する排水外筒３とを備えている。排水外筒３の側壁下部と底壁と溜水部２の側壁とにより、環状通路３ａが形成されている。溜水部２の上端面を含む平面は、排水トラップ１内に貯留される排水の最高水面である封水面αを形成している。溜水部２の側壁に浴槽排水入水口２ａが形成され、排水外筒３の天井壁に洗い場排水入水口３ｂが形成され、排水外筒３の側壁に排水口３ｃが形成されている。浴槽排水入水口２ａと排水口３ｃとは、溜水部２の側壁に沿って周方向に略１８０度の間隔を隔てている。浴室ユニットの図示しない浴槽から延びる浴槽排水管１０１が入水口２ａに接続されている。排水管１０２が排水口３ｂに接続されている。溜水部２と排水外筒３とにより排水容器が形成されている。
上端に外フランジ４ａが形成された封水筒４が、洗い場排水入水口３ｂから溜水部２に挿入されている。封水筒４の上端は溜水部２の上端よりも上方にあり、下端は封水面αよりも下方に在り、且つ溜水部２の底壁から上方へ所定距離隔てられている。
環状の取付けフランジ５が配設されている。取付けフランジ５の内周縁部は、図示しない水密パッキンを介して封水筒４の外フランジ４ａに下方から係合し、封水筒４を支持している。取付けフランジ５中央部の外周面は、浴室ユニットの洗い場２００に形成された排水ピット２０１の排水穴周縁と、排水外筒３の洗い場排水入水口３ｂ周縁とに螺合して、排水外筒３と溜水部２とを洗い場２００に取り付けている。取付けフランジ５の外周縁部は、図示しない水密パッキンを介して排水ピット２０１の底壁に上方から係合している。
封水筒４を取り巻く筒状の隔壁６が、溜水部２の底壁から上方へ封水面αまで延びている。隔壁６は溜水部２と一体形成されている。隔壁６と溜水部２の側壁との間に環状流路７が形成され、隔壁６と封水筒４の側壁との間に環状流路８が形成されている。
【００１７】
排水トラップ１の作動を説明する。
図２で実線矢印で示すように、浴槽排水は、浴槽排水管１０１と浴槽排水入水口２ａとを通って溜水部２へ流入し、環状流路７を通って上方へ流れ、溜水部２　の側壁上端を乗り越えて環状通路３ａへ流入し、環状通路３ａに沿って排水口３ｃへ流れ、排水口３ｃから排水管１０２へ流入して、浴室外へ排出される。
浴槽排水入水口２ａから溜水部２内へ流入した浴槽排水が、封水筒４の下端へ到達するためには、図２で一点鎖線矢印で示すように、環状流路７を通って上方へ流れ、溜水部２の側壁上端を乗り越えて環状流路８へ流入し、環状流路８を通って下方へ流れる必要がある。浴槽排水は、環状流路７、８により形成される蛇行環状流路を流れる際の圧力損失により、封水筒４の下端に到達する迄の間に減圧される。この結果、封水筒４下端から封水筒４上端への浴槽排水の逆流が抑制される。排水トラップ１を使用すれば、浴室ユニットの洗い場に形成するピットの深さｈ２を従来に比べて低減できるので、浴室ユニットの建物躯体からの設置高さＨを従来に比べて低減できる。
バケツに入れた洗濯廃水等を、洗い場排水入水口３ｂから排水トラップ１へ投入すると、当該廃水は封水筒４を通って下方へ流れ、環状流路８を通って上方へ流れ、環状通路３ａへ流入して排水口３ｃへ流れ、排水管１０２へ流入して浴室外へ排出される。当該廃水が浴槽排水管１０１へ流入するためには、環状流路８を通って上方へ流れた後、環状流路７を通って下方へ流れる必要がある。前記廃水は、環状流路８、７により形成される蛇行環状流路を流れる際の圧力損失により、浴槽排水入水口２ａに到達する迄の間に減圧される。この結果、浴槽排水管１０１を介する浴槽への前記廃水の逆流が抑制される。排水トラップ１を使用すれば、浴槽底壁に形成する排水口のエアギャップを従来に比べて低減できるので、浴室ユニットの建物躯体からの設置高さＨを従来に比べて低減できる。
隔壁６を溜水部２と一体形成することにより、両者を別体とする場合に比べて部品数が減少し、排水トラップの製造コストが低下する。
【００１８】
本発明の第２実施例に係る浴室ユニットの排水トラップを説明する。
図３に示すように、排水トラップ１Ａは、溜水部２と一体形成された隔壁６に代えて、溜水部２の底壁に着脱可能に取り付けられた、溜水部２とは別体の有底筒体９を備えている。有底筒体９の側壁が封水筒４を取り巻く筒状の隔壁９ａを形成している。隔壁９ａは上方へ封水面αまで延びている。隔壁９ａと溜水部２側壁との間に環状流路７が形成され、隔壁９ａと封水筒４側壁との間に環状流路８が形成されている。上記を除き、排水トラップ１Ａの構造は、排水トラップ１の構造と同様である。
排水トラップ１Ａにおいても、浴槽排水は、環状流路７、８により形成される蛇行環状流路を流れる際の圧力損失により、封水筒４の下端に到達する迄の間に減圧される。この結果、封水筒４下端から封水筒４上端への浴槽排水の逆流が抑制される。排水トラップ１Ａを使用すれば、浴室ユニットの洗い場に形成するピット２の深さｈ２を従来に比べて低減できるので、浴室ユニットの建物躯体からの設置高さＨを従来に比べて低減できる。
溜水部２とは別体の隔壁９ａを溜水部２に着脱可能に取り付けると、排水トラップの掃除が容易になる。
【００１９】
本発明の第３実施例に係る浴室ユニットの排水トラップを説明する。
図４に示すように、排水トラップ１Ｂにおいては、隔壁６に代えて、封水筒４を取り巻く、溜水部２と一体形成され筒状の隔壁６′が、溜水部２の底壁から封水面αを越えて上方へ延びている。隔壁６′の排水口３ｃに対峙する部位に、隔壁６′上端から下方へ延び、下縁の高さが封水面αと略同一の切欠６ａ′が形成されている。上記を除き、排水トラップ１Ｂの構造は、排水トラップ１の構造と同様である。
隔壁６′を封水面αを越えて上方へ延在させることにより、環状流路８の流路長が、排水トラップ１に比べて増加する。この結果、環状流路７、８が形成する蛇行環状流路の流路長が排水トラップ１に比べて増加し、溜水部２へ流入した浴槽排水が封水筒４の下端に到達する迄の間の圧力損失が排水トラップ１に比べて増加し、浴槽排水の減圧量が排水トラップ１に比べて増加する。この結果、封水筒４下端から封水筒４上端への浴槽排水の逆流が従来に比べて更に抑制され、浴室ユニットの洗い場に形成するピットの深さｈ２が従来に比べて更に低減され、浴室ユニットの建物躯体からの設置高さＨが従来に比べて更に低減される。
隔壁６′の排水口３ｃに対峙する部位に切欠６ａ′を形成することにより、洗い場排水の隔壁６′外への排出効率を高め、封水面αの上昇を抑制して、洗い場への排水の逆流を抑制している。
隔壁６′を溜水部２と一体形成することにより、両者を別体とする場合に比べて部品数が減少し、排水トラップの製造コストが低下する。
【００２０】
本発明の第４実施例に係る浴室ユニットの排水トラップを説明する。
図５に示すように、排水トラップ１Ｃにおいては、隔壁６に代えて、溜水部２の底壁に着脱可能に取り付けられた、溜水部２とは別体の有底筒体９′を備えている。有底筒体９′の側壁が封水筒４を取り巻く筒状の隔壁９ａ′を形成している。隔壁９ａ′は封水面αを越えて上方へ延びている。隔壁９ａ′と溜水部２側壁との間に環状流路７が形成され、隔壁９ａ′と封水筒４側壁との間に環状流路８が形成されている。隔壁９ａ′の排水口３ｃに対峙する部位に、隔壁９ａ′上端から下方へ延び、下縁の高さが封水面αと略同一の切欠９ｂ′が形成されている。上記を除き、排水トラップ１Ｃの構造は、排水トラップ１の構造と同様である。
隔壁９ａ′を封水面αを越えて上方へ延在させることにより、環状流路８の流路長が、排水トラップ１に比べて増加する。この結果、環状流路７、８が形成する蛇行環状流路の流路長が排水トラップ１に比べて増加し、溜水部２へ流入した浴槽排水が封水筒４の下端に到達する迄の間の圧力損失が排水トラップ１に比べて増加し、浴槽排水の減圧量が排水トラップ１に比べて増加する。この結果、封水筒４下端から封水筒４上端への浴槽排水の逆流が従来に比べて更に抑制され、浴室ユニットの洗い場に形成するピットの深さｈ２が従来に比べて更に低減され、浴室ユニットの建物躯体からの設置高さＨが従来に比べて更に低減される。
隔壁９ａ′の排水口３ｃに対峙する部位に切欠９ｂ′を形成することにより、洗い場排水の隔壁９ａ′外への排出効率を高め、封水面αの上昇を抑制して、洗い場への排水の逆流を抑制している。
溜水部２とは別体の隔壁９ａ′を溜水部２に着脱可能に取り付けると、排水トラップの掃除が容易になる。
【００２１】
本発明の第５実施例に係る浴室ユニットの排水トラップを説明する。
図６に示すように、排水トラップ１Ｄは、隔壁６の上端に着脱可能に嵌合固定された、隔壁６とは別体の、筒状の延長隔壁１０を備えている。延長隔壁１０は、封水筒４を取り巻いている。延長隔壁１０は、封水面αを越えて上方へ延びている。延長隔壁１０の排水口３ｃに対峙する部位に、隔壁１０上端から下方へ延び、下縁の高さが封水面αと略同一の切欠１０ａが形成されている。上記を除き、排水トラップ１Ｄの構造は、排水トラップ１の構造と同様である。
延長隔壁１０を封水面αを越えて上方へ延在させることにより、環状流路８の流路長が、排水トラップ１に比べて増加する。この結果、環状流路７、８が形成する蛇行環状流路の流路長が排水トラップ１に比べて増加し、溜水部２へ流入した浴槽排水が封水筒４の下端に到達する迄の間の圧力損失が排水トラップ１に比べて増加し、浴槽排水の減圧量が排水トラップ１に比べて増加する。この結果、封水筒４下端から封水筒４上端への浴槽排水の逆流が従来に比べて更に抑制され、浴室ユニットの洗い場に形成するピットの深さｈ２が従来に比べて更に低減され、浴室ユニットの建物躯体からの設置高さＨが従来に比べて更に低減される。
延長隔壁１０の排水口３ｃに対峙する部位に切欠１０ａを形成することにより、洗い場排水の延長隔壁１０外への排出効率を高め、封水面αの上昇を抑制して、洗い場への排水の逆流を抑制している。
隔壁６とは別体の延長隔壁１０を隔壁６に着脱可能に取り付けると、排水トラップの掃除が容易になる。
【００２２】
本発明の第６実施例に係る浴室ユニットの排水トラップを説明する。
図７に示すように、排水トラップ１Ｅは、封水筒４に一体形成された筒状の隔壁４ｂを備えている。隔壁４ｂは封水筒４の上部から下方へ垂下しており、下端は筒状の隔壁６の上端に当接している。隔壁４ｂは、封水筒４を取り巻いている。隔壁４ｂは、封水面αを越えて上方へ延びている。隔壁４ｂの排水口３ｃに対峙する部位に、下縁の高さが封水面αと略同一の切欠又は開口４ｃが形成されている。上記を除き、排水トラップ１Ｅの構造は、排水トラップ１の構造と同様である。
隔壁４ｂを封水面αを越えて上方へ延在させ、環状流路７から環状流路８への流入口を、排水口３ｃに対峙する切欠又は開口４ｃに限定することにより、環状流路７、８が形成する蛇行環状流路の流路長が排水トラップ１に比べて増加し、溜水部２へ流入した浴槽排水が封水筒４の下端に到達する迄の間の圧力損失が排水トラップ１に比べて増加し、浴槽排水の減圧量が排水トラップ１に比べて増加する。この結果、封水筒４下端から封水筒４上端への浴槽排水の逆流が従来に比べて更に抑制され、浴室ユニットの洗い場に形成するピットの深さｈ２が従来に比べて更に低減され、浴室ユニットの建物躯体からの設置高さＨが従来に比べて更に低減される。
隔壁４ｂの排水口３ｃに対峙する部位に切欠又は開口４ｃを形成することにより、洗い場排水の隔壁４ｂ外への排出効率を高め、封水面αの上昇を抑制して、洗い場への排水の逆流を抑制している。
隔壁６とは別体の隔壁４ｂを封水筒４と一体形成すると、排水トラップの掃除が容易になる。
【００２３】
本発明の第７実施例に係る浴室ユニットの排水トラップを説明する。
図８に示すように、排水トラップ１Ｆは、隔壁６の上端に着脱可能に嵌合固定された、隔壁６とは別体の、筒状の延長隔壁１０′を備えている。延長隔壁１０′は、封水筒４を取り巻いている。延長隔壁１０′は、封水面αを越えて上方へ延びている。延長隔壁１０′の排水口３ｃに対峙する部位に、下縁の高さが封水面αと略同一の開口１０ａ′が形成されている。開口１０ａ′から排水口３ｃへ達する連絡管１０ｂ′が延長隔壁１０′と一体形成されている。上記を除き、排水トラップ１Ｆの構造は、排水トラップ１の構造と同様である。
延長隔壁１０′を封水面αを越えて上方へ延在させることにより、環状流路８の流路長が、排水トラップ１に比べて増加する。この結果、環状流路７、８が形成する蛇行環状流路の流路長が排水トラップ１に比べて増加し、溜水部２へ流入した浴槽排水が封水筒４の下端に到達する迄の間の圧力損失が排水トラップ１に比べて増加し、浴槽排水の減圧量が排水トラップ１に比べて増加する。この結果、封水筒４下端から封水筒４上端への浴槽排水の逆流が従来に比べて更に抑制され、浴室ユニットの洗い場に形成するピットの深さｈ２が従来に比べて更に低減され、浴室ユニットの建物躯体からの設置高さＨが従来に比べて更に低減される。隔壁１０′の排水口３ｃに対峙する部位に開口１０ａ′を形成することにより、洗い場排水の隔壁１０′外への排出効率を高め、封水面αの上昇を抑制して、洗い場への排水の逆流を抑制している。
連絡管１０ｂ′を排水口３ｃへ到達させと、排水口３ｃから排水管１０２へ流れる浴槽排水のエジェクタ効果により、環状流路８内の浴槽排水が連絡管１０ｂ′を介して排水口３ｃへ吸い出される。この結果、環状流路８への浴槽排水の流入が抑制され、排水管４下端から排水管４上端への浴槽排水の逆流が従来に比べて更に抑制され、浴室ユニットの洗い場に形成するピットの深さｈ２が従来に比べて更に低減され、浴室ユニットの建物躯体からの設置高さＨが従来に比べて更に低減される。
隔壁６とは別体の延長隔壁１０′を隔壁６に着脱可能に取り付けると、排水トラップの掃除が容易になる。
連絡管１０ｂ′を延長隔壁１０′とは別体で形成し、延長隔壁１０′に取り付けても良い。
排水トラップ１Ｅの隔壁４ｂに、開口４ｃから延びて排水口３ｃへ達する連絡管を一体形成し或いは取り付けても良い。
【００２４】
以上本発明を逆碗型の排水トラップに適用した実施例を説明したが、本発明は、ランニング型排水トラップにも適用可能である。
図９に示すように、ランニング型排水トラップ１Ｇは、排水外筒を備えず、有底筒状の溜水部１２の側壁下部に浴槽排水入水口１２ａが形成され、溜水部１２の天井壁に洗い場排水入水口１２ｂが形成され、溜水部１２の側壁上部に排水口１２ｃが形成されている。溜水部１２により排水容器が形成されている。溜水部１２の底壁は、浴槽排水入水口１２ａ側から排水口１２ｃ側へ向けて上方へ傾斜している。排水口１２ｃの下縁を含む水平面は、排水トラップ１Ｇ内に貯留される排水の最高水面である封水面αを形成している。
上端に外フランジ１４ａが形成された封水筒１４が、洗い場排水入水口１２ｂから溜水部１２に挿入されている。封水筒１４の下端は封水面αよりも下方に在り、且つ溜水部１２の底壁から上方へ所定距離隔てられている。
環状の取付けフランジ１５が配設されている。取付けフランジ１５の内周縁部は、図示しない水密パッキンを介して封水筒１４の外フランジ１４ａに下方から係合し、封水筒１４を支持している。取付けフランジ１５中央部の外周面は、浴室ユニットの洗い場２００に形成された排水ピット２０１の排水穴周縁と、溜水部１２の洗い場排水入水口１２ｂ周縁とに螺合して、溜水部１２を洗い場２００に取り付けている。取付けフランジ１５の外周縁部は、図示しない水密パッキンを介して排水ピット２０１の底壁に上方から係合している。
ランニング型排水トラップ１Ｇに、逆碗型排水トラップ１と同様に、封水筒１４を取り巻き、溜水部１２の底壁から上方へ封水面αまで延びる隔壁１６を一体形成することにより、逆碗型排水トラップ１と同様の効果が得られる。
【００２５】
ランニング型排水トラップ１Ｇに、逆碗型排水トラップ１Ａと同様に、封水面αまで延びる有底筒体を着脱可能に取り付けることにより、或いは逆碗型排水トラップ１Ｂと同様に、封水筒１４を取り巻き、溜水部１２の底壁から封水面αを越えて上方へ延びる隔壁を一体形成することにより、或いは逆碗型排水トラップ１Ｃと同様に、封水面αを越えて上方へ延びる有底筒体を着脱可能に取り付けることにより、或いは逆碗型排水トラップ１Ｄと同様に、筒状の延長隔壁を隔壁１６の上端に着脱可能に取り付けることにより、或いは逆碗型排水トラップ１Ｅと同様に、垂下し下端が隔壁１６の上端に当接する筒状の隔壁を封水筒１４に一体形成することにより、或いは逆碗型排水トラップ１Ｆと同様に、連絡管を有する筒状の延長隔壁を隔壁１６の上端に着脱可能に取り付けることにより、逆碗型排水トラップ１Ａ、１Ｂ、１Ｃ、１Ｄ、１Ｅ、１Ｆと同様の効果が得られる。
【００２６】
隔壁６、９ａ、６′、９ａ′の横断面を、長軸が浴槽排水入水口２ａから排水口３ｃへ差し向けられた楕円形又は長円形としても良い。環状流路７内の浴槽排水入水口２ａから排水口３ｃへ向かう浴槽排水の流れがスムーズになる。この結果、環状流路７から環状流路８への浴槽排水の流入が抑制され、封水筒４下端から封水筒４上端への浴槽排水の逆流が更に抑制され、浴室ユニットの洗い場に形成するピットの深さｈ２が更に低減され、浴室ユニットの建物躯体からの設置高さＨが更に低減される。
隔壁１６の横断面を、長軸が浴槽排水入水口１２ａから排水口１２ｃへ差し向けられた楕円形又は長円形としても良い。隔壁１６と溜水部１２側壁との間に形成される環状流路内の、浴槽排水入水口１２ａから排水口１２ｃへ向かう浴槽排水の流れがスムーズになり、隔壁１６と溜水部１２側壁との間の環状流路から隔壁１６と封水筒１４の間の環状流路への浴槽排水の流入が抑制され、封水筒１４下端から封水筒１４上端への浴槽排水の逆流が更に抑制され、浴室ユニットの洗い場２００に形成するピットの深さｈ２が更に低減され、浴室ユニットの建物躯体からの設置高さＨが更に低減される。
【００２７】
隔壁６、９ａ、６′、９ａ′、１６の封水面αよりも下方の部分に、環状流路８の断面積、隔壁１６と封水筒１４との間の環状流路の断面積よりも開口面積の小さな小径開口またはスリットを形成しても良い。
隔壁６、９ａ、６′、９ａ′、１６の内側の封水が、浴槽排水入水口２ａ、１２ａから排水口３ｃ、１２ｃへ向かう浴槽排水流に連行されて、隔壁６、９ａ、６′、９ａ′、１６の外側へ流出し、隔壁６、９ａ、６′、９ａ′、１６の内側の封水位が封水筒４、１４下端よりも下方へ低下し、排水管１０２内の臭気が封水筒４、１４を通って洗い場２００へ逆流するおそれがある。隔壁６、９ａ、６′、９ａ′、１６の封水面αよりも下方の部分に、小径開口またはスリットを形成しておけば、浴槽排水終了後に、浴槽排水管１０１内や溜水部２、１２側壁と隔壁６、９ａ、６′、９ａ′、１６との間の環状流路内の浴槽排水が、前記小径開口又はスリットを通って隔壁６、９ａ、６′、９ａ′、１６の内側へ流入し、隔壁６、９ａ、６′、９ａ′、１６の内側の封水位を封水筒４、１４下端よりも上方まで増加させる。この結果、排水管１０２内臭気の洗い場２００への逆流が防止される。
隔壁６、９ａ、６′、９ａ′、１６に形成される、環状流路８の断面積、隔壁１６と封水筒１４との間の環状流路の断面積よりも開口面積の小さな小径開口又はスリットの流動抵抗は大きいので、浴槽排水時に浴槽排水入水口２ａ、１２ａから溜水部２、１２へ流入した浴槽排水が前記小径開口又はスリットを通る際に大きな圧力損失が発生する。従って、浴槽排水入水口２ａ、１２ａから溜水部２、１２へ流入し、前記小径開口又はスリットを通って封水筒４、１４下端に到達した浴槽排水の圧力は低下しており、封水筒４、１４を通って洗い場２００へ逆流しない。
【００２８】
図１０に示すように、排水トラップ１から隔壁６を除去し、一端が浴槽排水入水口２ａに接続し他端が封水面αに達する屈曲管２０を、溜水部２側壁と封水筒４側壁との間に配設して、逆碗型排水トラップ１Ｈを構成しても良い。
排水トラップ１Ｈにおいては、浴槽排水入水口２ａから排水トラップ１Ｈへ流入した浴槽排水が封水筒４の下端へ到達するためには、屈曲管２０を通って上方へ流れ、次いで溜水部２側壁と封水筒４側壁との間の環状流路２１を通って下方へ流れる必要がある。排水トラップ１Ｈへ流入した浴槽排水は、前記蛇行流路を流れる際の圧力損失により、封水筒４の下端に到達する迄の間に減圧される。この結果、封水筒４下端から封水筒４上端への浴槽排水の逆流が抑制される。排水トラップ１Ｈを使用すれば、浴室ユニットの洗い場２００に形成するピットの深さｈ２を従来に比べて低減できるので、浴室ユニットの建物躯体からの設置高さＨを従来に比べて低減できる。
溜水部２、排水外筒３とは別体で形成した屈曲管２０を溜水部２、排水外筒３に着脱可能に取り付けることにより、排水トラップ１Ｈの掃除が容易になる。
屈曲管２０と溜水部２と排水外筒３とを一体形成しても良い。部品数が減少し排水トラップ１Ｈの製造コストが減少する。
屈曲管２０を封水面αを越えて上方へ延在させても良い。屈曲管２０と環状流路２１とが形成する蛇行流路の流路長が増加し、排水トラップ１Ｈへ流入した浴槽排水が封水筒４の下端に到達する迄の間の圧力損失が増加し、浴槽排水の減圧量が増加する。この結果、封水筒４下端から封水筒４上端への浴槽排水の逆流が更に抑制され、浴室ユニットの洗い場に形成するピットの深さｈ２が更に低減され、浴室ユニットの建物躯体からの設置高さＨが更に低減される。
【００２９】
図１１に示すように、排水トラップ１から隔壁６を除去し、溜水部２側壁の浴槽排水入水口２ａを閉鎖し、排水外筒３の底壁に開口３ｄを形成し、一端が開口３ｄを通って上方へ延び他端が浴槽排水入水口２２ａを形成する屈曲管２２を溜水部２、排水外筒３と一体形成して、逆碗型排水トラップ１Ｊを構成しても良い。排水トラップ１Ｊにおいては、浴槽排水入水口２２ａから排水トラップ１Ｊへ流入した浴槽排水が封水筒４の下端へ到達するためには、屈曲管２２を通って上方へ流れ、次いで溜水部２側壁と封水筒４側壁との間の環状流路２１を通って下方へ流れる必要がある。排水トラップ１Ｊへ流入した浴槽排水は、前記蛇行流路を流れる際の圧力損失により、封水筒４の下端に到達する迄の間に減圧される。この結果、封水筒４下端から封水筒４上端への浴槽排水の逆流が抑制される。排水トラップ１Ｊを使用すれば、浴室ユニットの洗い場２００に形成するピットの深さｈ２を従来に比べて低減できるので、浴室ユニットの建物躯体からの設置高さＨを従来に比べて低減できる。
屈曲管２２と溜水部２と排水外筒３とを一体形成することにより、溜水部２、排水外筒３とは別体で形成した屈曲管２２を溜水部２、排水外筒３に着脱可能に取り付ける場合に比べて部品数を低減させ、排水トラップ１Ｊの製造コストを低減させることができる。溜水部２、排水外筒３とは別体で形成した屈曲管２２を溜水部２、排水外筒３に着脱可能に取り付けても良い。排水トラップ１Ｊの掃除が容易になる。
屈曲管２２を封水面αを越えて上方へ延在させても良い。屈曲管２２と環状流路２１とが形成する蛇行流路の流路長が増加し、排水トラップ１Ｊへ流入した浴槽排水が封水筒４の下端に到達する迄の間の圧力損失が増加し、浴槽排水の減圧量が増加する。この結果、封水筒４下端から封水筒４上端への浴槽排水の逆流が更に抑制され、浴室ユニットの洗い場に形成するピットの深さｈ２が更に低減され、浴室ユニットの建物躯体からの設置高さＨが更に低減される。
【００３０】
【発明の効果】
上記説明から分かるように、本発明に係る浴室ユニットの排水トラップにおいては、浴槽排水入水口から排水容器内へ流入した浴槽排水が封水筒の下端へ到達するためには、封水筒を取り巻いて排水容器の底壁から上方へ封水面まで延びる隔壁と排水容器側壁との間の環状流路を通って上方へ流れ、次いで前記隔壁と封水筒側壁との間の環状流路を通って下方へ流れる必要がある。排水容器内へ流入した浴槽排水は、前記蛇行環状流路を流れる際の圧力損失により、封水筒の下端に到達する迄の間に減圧される。この結果、封水筒下端から封水筒上端への浴槽排水の逆流が抑制される。本発明に係る排水トラップを使用すれば、浴室ユニットの洗い場に形成するピットの深さを従来に比べて低減できるので、浴室ユニットの建物躯体からの設置高さを従来に比べて低減できる。
【図面の簡単な説明】
【図１】従来構造の排水トラップを取り付けた浴室ユニットの断面図である。
【図２】本発明の第１実施例に係る排水トラップを取り付けた浴室ユニットの部分断面図である。
【図３】本発明の第２実施例に係る排水トラップを取り付けた浴室ユニットの部分断面図である。
【図４】本発明の第３実施例に係る排水トラップを取り付けた浴室ユニットの部分断面図である。
【図５】本発明の第４実施例に係る排水トラップを取り付けた浴室ユニットの部分断面図である。
【図６】本発明の第５実施例に係る排水トラップを取り付けた浴室ユニットの部分断面図である。
【図７】本発明の第６実施例に係る排水トラップを取り付けた浴室ユニットの部分断面図である。
【図８】本発明の第７実施例に係る排水トラップを取り付けた浴室ユニットの部分断面図である。
【図９】本発明の第８実施例に係る排水トラップを取り付けた浴室ユニットの部分断面図である。
【図１０】本発明の実施例に係る排水トラップを取り付けた浴室ユニットの部分断面図である。
【図１１】本発明の実施例に係る排水トラップを取り付けた浴室ユニットの構造図である。（ａ）は部分断面図であり、（ｂ）は（ａ）のｂ−ｂ矢視図である。
【符号の説明】
１、１Ａ、１Ｂ、１Ｃ、１Ｄ、１Ｅ、１Ｆ、１Ｈ、１Ｊ　逆碗型排水トラップ
１Ｇ　ランニング型排水トラップ
２、１２　溜水部
３　排水外筒
４、１４　封水筒
５、１５　取付けフランジ
４ｂ、６、６′、９ａ、９ａ′、１６　隔壁
１０、１０′　延長隔壁
１０ｂ′　連絡管
２０、２２　屈曲管
α　封水面
１０１　浴槽排水管
１０２　排水管
２００　洗い場
２０１　ピット
ｈ２　浴室ユニットの洗い場に形成するピットの深さ
Ａ　浴槽排水入水口
Ｂ　洗い場排水入水口
Ｃ　排水口
Ｄ　排水容器
Ｅ　封水筒
Ｈ　浴室ユニットの建物躯体からの設置高さ
【図１】
2004068498.tif 000003
【図２】
2004068498.tif 000004
【図３】
2004068498.tif 000005
【図４】
2004068498.tif 000006
【図５】
2004068498.tif 000007
【図６】
2004068498.tif 000008
【図７】
2004068498.tif 000009
【図８】
2004068498.tif 000010
【図９】
2004068498.tif 000011
【図１０】
2004068498.tif 000012
【図１１】
2004068498.tif 000013